(57)【特許請求の範囲】
【請求項１】
電源線が導入される通線口を備えるとともにプラグを接続するコンセント口が開口する器体と、器体内に収納される中ボディと、中ボディに保持され器体に導入される電源線が接続される端子と、中ボディに保持されるとともに端子に接続されコンセント口を通して器体内に挿入されるプラグの栓刃を受ける刃受ばねと、コンセント口に装着される筒部を備え器体の内側面と中ボディとの間に挟持される外鍔片が筒部の一端縁から延設されたコンセント口用ブッシングとを備え、コンセント口用ブッシングはプラグの外周面に弾接する塞ぎ片を備え、器体の内側面におけるコンセント口の周囲には中ボディの一部を器体の内側面との間に挟持する引掛爪を先端部に備える可撓性を有した複数本の取付脚が突設されていることを特徴とするコードコネクタ。
【請求項２】
前記通線口に圧入して装着される通線口用ブッシングを備え、通線口用ブッシングは挿通される前記電源線の外周面に弾接する塞ぎ片を備えることを特徴とする請求項１記載のコードコネクタ。
【請求項３】
前記器体において前記中ボディの周縁に当接する位置決め片とともに前記電源線を屈曲させることによって電源線に作用する張力を除去する張力除去片が前記コンセント口用ブッシングの前記外鍔片の中ボディへの投影面内で形成されていることを特徴とする請求項１または請求項２記載のコードコネクタ。
【請求項４】
前記端子および前記刃受ばねを前記器体の内側面から離間させるように前記中ボディを前記器体内に配置していることを特徴とする請求項１ないし請求項３のいずれか１項に記載のコードコネクタ。
【請求項５】
前記器体が一面に開口を有するボディと、ボディの開口に覆着されるカバーとからなり、前記通線口がボディにおいて前記電源線を導入する部位に開設され、ボディの開口に平行かつ前記端子を通る平面が通線口を通るように端子が配置されていることを特徴とする請求項１ないし請求項４のいずれか１項に記載のコードコネクタ。
【請求項６】
前記器体は合成樹脂成形品であり、前記コンセント口用ブッシングと通線口用ブッシングとは弾性材料からなることを特徴とする請求項２記載のコードコネクタ。
【請求項７】
前記コンセント口を着脱可能に覆うコンセント口用防水カバーと前記通線口を着脱可能に覆う通線口用防水カバーとを備えることを特徴とする請求項１ないし請求項６のいずれか１項に記載のコードコネクタ。
【請求項８】
前記コンセント口用防水カバーと前記通線口用防水カバーとが連結紐を介して一体に成形され、連結紐が器体に対して着脱可能に取着されることを特徴とする請求項７記載のコードコネクタ。
【請求項９】
前記連結紐を前記器体に着脱可能に取り付ける取付部が器体の２箇所に設けられていることを特徴とする請求項８記載のコードコネクタ。
【請求項１０】
前記器体に螺合するねじ部を備え他部材に引っ掛けることが可能な鈎部を備えたフック金具とを備え、前記コンセント口用防水カバーにフック金具を着脱自在に保持させるフック保持台を設けたことを特徴とする請求項７ないし請求項９のいずれか１項に記載のコードコネクタ。
【発明の詳細な説明】
【０００１】
【発明の属する技術分野】
本発明は、コードコネクタに関するものである。
【０００２】
【従来の技術】
一般に、農園やビニルハウスにおいては作物の育成や害虫被害の抑制を目的としてランプを点灯させることがある。この種の目的では、作物の育成面積に応じた多数個のランプが必要であり、またメンテナンス性を考慮するとランプごとに電源接続部の抜き差しを可能とするのが望ましい。そこで、図１６に示すような形状のコードコネクタと称する接続器が提供されている。
【０００３】
コードコネクタは一種のコンセントであり、一面に開口１１を有する箱状のボディ１０と、開口１１を覆うようにカバー２０に覆着されるカバー２０とを組立ねじ４１で結合することにより器体が形成され、器体内には端子台３０′が設けられる。端子台３０′は図１６におけるボディ１０の下面側に差し込まれるプラグの栓刃を受ける刃受ばね（図示せず）と、刃受ばねに電源線を接続する端子板３７とを保持する絶縁材料からなる基台である。端子板３７に接続される電源線はボディ１０に延設したスリーブ１０ａを通してボディ１０の中に導入され、スリーブ１０ａに設けた張力止め１０ｂによって電源線に作用する張力が端子板３７に及ぶのを防止している。
【０００４】
また、ボディ１０においてプラグが接続されるコンセント口（図示せず）の不使用時にコンセント口を覆うために図１８に示すように紐体７６の一端部にコンセント口用防水カバー７１を設け、図１７に示すように紐体７６の他端を張力止め１０ｂなどに取り付けておくことが考えられている。
【０００５】
【発明が解決しようとする課題】
しかしながら、この種のコードコネクタは一般にビニルハウスでの使用を考えているから、図１６に示すように、ボディ１０とカバー２０との間はとくに防水性能が確保されておらず、屋外では使用することができないという問題がある。
【０００６】
また、コンセント口の不使用時にコンセント口を覆うコンセント口用防水カバー７１は考えられ、コンセント口が不使用であるときに器体の内部に水が浸入するのを防止することは考えられているものの、図１６に示すような送り配線が可能なコードコネクタでは一方のスリーブ１０ａが不使用になる場合があるにもかかわらず、不使用のスリーブ１０ａを通して水が器体内に浸入することを防止することについては考慮されていないのが現状である。
【０００７】
本発明は上記事由に鑑みて為されたものであり、その目的は防水性能を確保したコードコネクタを提供することにある。
【０００８】
【課題を解決するための手段】
請求項１の発明は、電源線が導入される通線口を備えるとともにプラグを接続するコンセント口が開口する器体と、器体内に収納される中ボディと、中ボディに保持され器体に導入される電源線が接続される端子と、中ボディに保持されるとともに端子に接続されコンセント口を通して器体内に挿入されるプラグの栓刃を受ける刃受ばねと、コンセント口に装着される筒部を備え器体の内側面と中ボディとの間に挟持される外鍔片が筒部の一端縁から延設されたコンセント口用ブッシングとを備え、コンセント口用ブッシングはプラグの外周面に弾接する塞ぎ片を備え、器体の内側面におけるコンセント口の周囲には中ボディの一部を器体の内側面との間に挟持する引掛爪を先端部に備える可撓性を有した複数本の取付脚が突設されていることを特徴とする。
【００１０】
請求項２の発明では、請求項１の発明において、前記通線口に圧入して装着される通線口用ブッシングを備え、通線口用ブッシングは挿通される前記電源線の外周面に弾接する塞ぎ片を備えることを特徴とする。
【００１１】
請求項３の発明では、請求項１または請求項２の発明において、前記器体において前記中ボディの周縁に当接する位置決め片とともに前記電源線を屈曲させることによって電源線に作用する張力を除去する張力除去片が前記コンセント口用ブッシングの前記外鍔片の中ボディへの投影面内で形成されていることを特徴とする。
【００１２】
請求項４の発明では、請求項１ないし請求項３のいずれかの発明において、前記端子および前記刃受ばねを前記器体の内側面から離間させるように前記中ボディを前記器体内に配置していることを特徴とする。
【００１３】
請求項５の発明では、請求項１ないし請求項４のいずれかの発明において、前記器体が一面に開口を有するボディと、ボディの開口に覆着されるカバーとからなり、前記通線口がボディにおいて前記電源線を導入する部位に開設され、ボディの開口に平行かつ前記端子を通る平面が通線口を通るように端子が配置されていることを特徴とする。
【００１４】
請求項６の発明では、請求項２の発明において、前記器体は合成樹脂成形品であり、前記コンセント口用ブッシングと通線口用ブッシングとは弾性材料からなることを特徴とする。
【００１５】
請求項７の発明では、請求項１ないし請求項６のいずれかの発明において、前記コンセント口を着脱可能に覆うコンセント口用防水カバーと前記通線口を着脱可能に覆う通線口用防水カバーとを備えることを特徴とする。
【００１７】
請求項８の発明では、請求項７の発明において、前記コンセント口用防水カバーと前記通線口用防水カバーとが連結紐を介して一体に成形され、連結紐が器体に対して着脱可能に取着されることを特徴とする。
【００１８】
請求項９の発明では、請求項８の発明において、前記連結紐を前記器体に着脱可能に取り付ける取付部が器体の２箇所に設けられていることを特徴とする。
【００１９】
請求項１０の発明では、請求項７ないし請求項９のいずれかの発明において、前記器体に螺合するねじ部を備え他部材に引っ掛けることが可能な鈎部を備えたフック金具を備え、前記コンセント口防水カバーにフック金具を着脱自在に保持させるフック保持台を設けたことを特徴とする。
【００２０】
【発明の実施の形態】
本実施形態は、図１に示すように、箱状であって一面の略全面に亘る開口１１を有したボディ１０と、ボディ１０の開口１１に覆着されるカバー２０とを結合して形成された器体を備える。ボディ１０とカバー２０とはともに合成樹脂を成型して形成される。ボディ１０は細長形状であって、長手方向の中央部が両端部よりも幅方向に膨らんだ形状の底壁１２の全周縁から周壁１３を立ち上げた形状に形成される。つまり、周壁１３はボディ１０の長手方向の両端に位置する２枚の端周壁１３ａと、両端周壁１３ａの間を連結する２枚の側周壁１３ｂとを備える。ボディ１０の底壁１２の隅部の内周面には４本の組立ボス１４が立設されている。一方、カバー２０はボディ１０の上記周壁１３に略一致する形状の外周縁を有し、ボディ１０の開口１１を全面に亘って覆う形状に形成されている。ボディ１０とカバー２０とは、カバー２０の貫通孔２１を通して組立ねじ４１を組立ボス１４に螺合させることによって結合される。
【００２１】
図３に示すように、カバー２０においてボディ１０の周壁１３の先端面との対向面には全周に亘って保持凹所２２が形成され、保持凹所２２には防水パッキン４２が収納される。また、ボディ１０の周壁１３の先端面には防水パッキン４２に当接する押さえリブ１５（図２参照）が全周に亘って突設され、ボディ１０とカバー２０とを結合したときに押さえリブ１５が防水パッキン４２の一部を圧縮することにより確実な防水性が得られるようにしてある。
【００２２】
図１におけるボディ１０の下面中央部には円筒状の導入筒１６が連続一体に突設される。導入筒１６は図１の上下に貫通し、導入筒１６の内側が後述するプラグを挿入するコンセント口１７として機能する。導入筒１６にはコンセント口用ブッシング４３が装着される。コンセント口用ブッシング４３は合成ゴムのような弾性材料により形成され、導入筒１６に挿入される円筒状の筒部４３ａと、筒部４３ａの軸方向の一端縁の全周に亘って外向きに延設されボディ１０の底壁１２の内周面に当接する外鍔片４３ｂと、筒部４３ａの軸方向の他端縁の全周に亘って内向きに延設され内部に挿入されるプラグの外周面に弾接する塞ぎ片４３ｃとを備える。塞ぎ片４３ｃは筒部４３ａの前記他端部の内周面から延設され、先端ほど前記一端部に近付くテーパ状に形成されている（図３参照）。
【００２３】
さらに、ボディ１０の各端周壁１３ａにはそれぞれ通線口１８が開設され、各通線口１８には合成ゴムのような弾性材料により形成された通線口用ブッシング４４が圧入される。通線口用ブッシング４４は円環状に形成された筒部４４ａの内側面に２枚の塞ぎ片４４ｂ，４４ｃを延設したものであって、各塞ぎ片４４ｂ，４４ｃは先端ほど筒部４４ａの一端側に近付くテーパ状に形成されている。通線口用ブッシング４４は塞ぎ片４４ｂ，４４ｃの先端がボディ１０の内側に向かうように通線口１８に装着される。筒部４４ａの外周面には全周に亘って取付溝４４ｄが形成され、通線口１８の開口縁が取付溝４４ｄに嵌合することによって通線口用ブッシング４４がボディ１０に保持される。ここに、通線口用ブッシング４４をボディ１０に装着した状態において、端周壁１３ａの外側面と通線口用ブッシング４４の外側面とが面一になるように、通線口１８の内周面には段差１８ａが形成されている。
【００２４】
ところで、ボディ１０の中には中ボディ３０が収納される。中ボディ３０は導入筒１６の開口面を塞ぐ八角形状の底板３１を有し、底板３１には左右に２分する仕切壁３２と、仕切壁３２の両側において仕切壁３２とともに左右の収納室３５を形成する囲み壁３３とを備える。また、仕切壁３２の両端部にはそれぞれ仕切壁３２に直交する形でＨ字状のガイド壁３４が延設される。ガイド壁３４の両端部は後述する張力除去片３４ａとして機能する。
【００２５】
中ボディ３０をボディ１０に固定するために、ボディ１０の各側周壁１３ｂには底壁１２から立ち上がる位置決めリブ１９がそれぞれ突設され、中ボディ３０の底板３１には位置決めリブ１９が嵌合する位置決め溝３６が切欠されている。また、ボディ１０の底壁１２には各一対の組立ボス１４の間をそれぞれ連結する一対の連結片５１が形成されるとともに、各連結片５１には底板３１の周縁に当接する各一対の位置決め片５２がそれぞれ突設される。位置決め溝３６は中ボディ３０の八角形状の底板３１のうち各側周壁１３ｂに対向する２つの辺に形成され、位置決め片５２は底板３１において端周壁１３ａに対向する２つの辺に当接する。底板３１の残りの４つの辺には、ボディ１０の底壁１２の内周面に突設した取付脚５３の先端部に設けた引掛爪５３ａが係合する。すなわち、図４に示すように、引掛爪５３ａを底板３１の周部に係合させることによって、中ボディ３０がボディ１０の底壁１２から浮き上がらないように中ボディ３０をボディ１０に取り付けることができる。ここに、コンセント口用ブッシング４３の外鍔片４３ｂは、ボディ１０の底壁１２の内側面と中ボディ３０との間に挟持されるから、結果的にコンセント口用ブッシング４３と中ボディ３０とをともに引掛爪５３ａでボディ１０に取り付けることが可能になる。さらに、取付脚５３は可撓性を有しており、コンセント口用ブッシング４３を導入筒１６に装着した後に、中ボディ３０をコンセント口用ブッシング４３に押し付けだけで、中ボディ３０の底板３１が引掛爪５３ａを乗り越えて中ボディ３０の底板３１が引掛爪５３ａに係止されるようにしてある。また、コンセント口用ブッシング４３は弾性を有するから、中ボディ３０の底板３１が引掛爪５３ａに押し付けられ、中ボディ３０ががたつきなくボディ１０に固定されることになる。要するに、図５に示すように、中ボディ３０の底板３１に設けた位置決め溝３６に位置決めリブ１９が嵌合し、位置決め片５２が底板３１の周縁に当接し、さらに引掛爪５３ａが底板３１の周部に係合することによって、中ボディ３０がボディ１０に対して固定されるのである。ここで、各一対の位置決め片５２間の間隔は、連結片５１に対向するガイド壁３４に設けた張力除去片３４ａの間隔よりも狭く、位置決め片５２と張力除去片３４ａとの間に１本の電線を通すことができる程度に寸法を設定してある。
【００２６】
中ボディ３０に設けた各収納室３５にはそれぞれ端子板３７と刃受ばね３８とが配置される。各刃受ばね３８はプラグに設けた平板状の栓刃を受けることができるように１枚の帯状の金属板を折曲して形成されている。つまり、栓刃を保持するように互いに対向した一対のばね片３８ａの一端間を固定片３８ｂを介して連結した形状に一体に形成されている。一方、刃受ばね３８は連結片３８ｂを通して端子板３７の固定孔３７ａに挿入されるかしめ鋲３８ｃを用いて端子板３７に固着される。各刃受ばね３８は各収納室３５にそれぞれ挿入される。また、中ボディ３０の底板３１には各収納室３５に対応する部位に、プラグの栓刃が挿入される栓刃挿入口３１ａ（図１３参照）が形成される。
【００２７】
一方、端子板３７は収納室３５を囲む囲み壁３３に載置される。囲み壁３３には端子板３７に設けた位置決め孔３７ｂに挿入される位置決め突起３３ａが形成されるとともに、端子板３７の挿通孔３７ｃを通る端子板固定ねじ５４が螺合する固定穴３３ｂが形成される。つまり、端子板３７は位置決め突起３３ａを位置決め穴３７ｂに挿入し、端子板固定ねじ５４を固定穴３３ｂに螺合させることによって中ボディ３０に固定される。さらに、端子板３７には端子板３７とともに端子を構成する座金付き端子ねじ３９が螺合する端子ねじ孔３７ｄが形成され、端子ねじ孔３７ｂの周部には座金の回り止めとなる一対の止め片３７ｅが突設される。端子板３７は図５、図６に示すように、ボディ１０の側周壁１３ｂの内側面から離間するように配置される。この構成により、仮にボディ１０の周壁１３に沿ってボディ１０の中に水が浸入したとしても充電部である端子板３７に水が接触するのを防止することができる。
【００２８】
ところで、端子板３７には図５に示すように電源線Ｌｐが接続される。電源線Ｌｐとしては２本の絶縁被覆した電線Ｌ１をシースＬ２内に備えるキャブタイヤケーブルなどを用いる。電源線Ｌｐは通線口用ブッシング４４を通して通線口１８に挿通され、連結片５１にシースＬ２の端縁を当接させた形で電線Ｌ１が引き出され、各電線Ｌ１がそれぞれ位置決め片５２と張力除去片３４ａとの間を通して屈曲された後、端子ねじ３９を用いて端子板３７に接続される。ここに、連結片５１において位置決め片５２の間の部位は電線Ｌ１を通すために切欠部５１ａが形成されている。上述のように、電線Ｌ１が屈曲されることによって電源線Ｌｐに作用する張力が端子板３７との接続部に及ぶことが阻止されている。また、このような張力を除去するための張力除去片３４ａは、図７に示すように、中ボディ３０の底板３１においてコンセント口用ブッシング４３を固定する部分の投影面内に設けているから、ボディ２０や中ボディ３０を大型化させることなく張力除去の機能を持たせることができる。ボディ１０の内部において通線口１８を設けた端周壁１３ａと連結片５１との間には保持片５５が形成され、保持片５５には電源線ＬｐのシースＬ２が通過する切欠部５５ａが形成される。カバー２０の内側面には、図８に示すように、保持片５５に対応する部位に保持片２３が形成され、電源線ＬｐのシースＬ２を両保持片２３，５５で挟持することにより、シースＬ２に作用する張力が除去される。したがって、保持片２３，５５の先端面はシースＬ２に食い込む形状に形成しておくことが望ましい。さらに、図８に示すように、開口１１に平行かつ端子板３７を通る平面が通線口１８を通るように通線口１８と端子板３７との図８における高さ位置が設定されている。したがって、通線口１８を通ってボディ１０に導入された電源線Ｌｐは図８の上下方向に屈曲することなく端子板３７に接続することが可能であり、結線作業が容易になる。
【００２９】
ところで、カバー２０の図１における上面には、ボディ１０の両端周壁１３ａを結ぶ方向に走る浅溝部２４が形成されている。また、浅溝部２４の底面であって両端周壁１３ａ間の中央部にはカバー２０の上面に開口した有底円筒状の受け筒２５が形成されている。受け筒２５の底は中ボディ３０の仕切壁３２に当接しており、このことによっても中ボディ３０の器体内でのがたつきが防止される。受け筒２５はフック金具６０を取り付けるために設けられている。フック金具６０は、図９に示すように、吊り紐６１に引っ掛ける鈎部６０ａと、受け筒２５に螺合するねじ部６０ｂ（図１参照）とを一体に備える金具であって、フック金具６０を用いると、適宜場所に架設された吊り紐６１に沿ってコードコネクタを配設することが可能になる。つまり、図１０に示すように、ビニルハウス６２などにおいては、骨組み６３に沿って吊り紐６１を配設しておき、フック金具６０を用いて吊り紐６１にコードコネクタＡを吊下することによって、ビニルハウス６２の中の適宜箇所にコードコネクタＡを配設することが可能になる。しかして、ビニルハウス６２などにおいて防蛾灯のようなランプ６４を用いるときには、コードコネクタＡに接続されるプラグを介してランプ６４に給電することが可能になる。なお、カバー２０に浅溝部２４を形成していることによって、吊り紐６１は浅溝部２４に沿うことになるから、吊り紐６１はフック金具６０と浅溝部２４との間を通ることになり、吊り紐６１が揺れてもコードコネクタＡが吊り紐６１から外れにくくなる。
【００３０】
ところで、図１に示しているように、ボディ１０の各側周壁１３ｂの外側面中央部にはカバー２０の一部に重複する耳片２６が突設されている。図１１ないし図１３に示すように、耳片２６にはコンセント口１７と通線口１８とに嵌着可能なコンセント口用防水カバー７１と通線口用防水カバー７２とを連結紐７３を介して一体に成形した合成ゴムのような弾性材料からなるカバー部材７０が着脱可能に取着される。つまり、耳片２６はカバー部材７０を着脱可能に取り付ける取付部として機能する。各耳片２６には連結紐７３の一端部を挿通可能とした保持孔２７が貫設され、耳片２６の厚み方向においてカバー２０の反対側面には保持孔２７を挟んで一対の振れ止め突起２８が突設される。連結紐７３の上記一端部には図１４および図１５に示すように、割溝７４ａにより二叉状に形成された二股部７４が形成される。二股部７４の先端部には保持孔２７の周部に係止可能となる爪部７４ｂが形成される。また、連結紐７３において二股部７４の近傍には爪部７４ｂとともに耳片２６を挟むストップ７５が連結紐７３の周囲に突設されている。
【００３１】
上述した構成によって、保持孔２７に二股部７４を挿入すれば、図１５に示すように、爪部７４ｂが保持孔２７の周部に係止され、またストップ７５によって保持孔２７への二股部７４の挿入量が規制される。また、この状態から割溝７４ａの幅を小さくするように二股部７４に外力を加えると（つまり、二股部７４を摘むと）、保持孔２７の周部から爪部７４ｂが外れ、連結紐７３を保持孔２７から引き抜くことが可能になる。つまり、カバー部材７０は耳片２６に対して着脱可能になる。カバー部材７０を耳片２６に取り付けた状態では二股部７４の一部が耳片２６の上面側に突出するが、カバー２０において保持孔２７に対応する部位に凹所（図示せず）を形成しておくことにより二股部７４が外部に露出することはない。また、耳片２６はボディ１０の２箇所に設けてあるから、どちらの耳片２６にカバー部材７０を取り付けるかを選択することができ、カバー部材７０が他の部材と干渉しないようにカバー部材７０の取付位置を選択することができる。
【００３２】
カバー部材７０に設けたコンセント口用防水カバー７１は、コンセント口１７を覆う蓋片７１ａと、蓋片７１ａを囲み導入筒１６の周壁に嵌着されるリング状の嵌着部７１ｂとを備える。嵌着部７１ｂは導入筒１６の内側に挿入される部分と外側に重複する部分とを有した二重筒状であって、嵌着部７１の外周面が連結紐７３に一体に連続し、さらに嵌着部７１の外周面において連結紐７３との連結部から遠い一端部に外し用タブ７１ｃが形成される。外し用タブ７１ｃはコンセント口１７に装着されたコンセント口用防水カバー７１を取り外すときのつまみとして機能する。嵌着部７１ｂの内側にはフック保持台７１ｄが形成され、フック保持台７１ｄには上述したフック金具６０のねじ部６０ｂが嵌着可能な保持溝７１ｅが形成される。したがって、カバー部材７０でフック金具６０を保持することにより、フック金具６０の紛失が防止される。また、フック保持台７１ｄは嵌着部７１ｂの内側に形成されているから、フック保持台７１ｄにフック金具６０を取着した状態でフック金具６０はコンセント口用防水カバー７１から外部に突出せず、コンセント口用防水カバー７１に対してフック金具６０を見映えよく保持させることができる。
【００３３】
一方、通線口用防水カバー７２は通線口１８を覆う蓋片７２ａを有し、蓋片１８に挿入される脚片７２ｂが蓋片７２ａから突設された形状に形成される。さらに、蓋片７２ａの外周面には外し用タブ７２ｃが突設され、外し用タブ７２ｃが連結紐７３に連結されている。外し用タブ７２ｃは通線口１８に装着された通線口用防水カバー７２を取り外すときのつまみとして機能する。
【００３４】
しかして、コンセント口１７や通線口１８を使用しないときには、カバー部材７０をボディ１０から外して、コンセント口用防水カバー７１をコンセント口１７に装着し、あるいは通線口用防水カバー７２を通線口１８に装着することになる。ここに、通線口用防水カバー７２は１個のみ設けているが、使用時において２個の通線口１８のうちの少なくとも１個には電源線Ｌｐが挿通されるから、２個の通線口用防水カバー７２は実用上不要である。また、上述したように２個の通線口１８を備えているから、各通線口１８から導入される２本の電源線Ｌｐを端子板３７を介して接続することができる。つまり、２本の電源線Ｌｐの一方は電源側であり他方は他の機器に接続される送り配線になる。このように送り配線を用いる場合には通線口用防水カバー７２は不要である。また、両通線口１８は一直線上に設けられているから、電源側の電源線Ｌｐと送り配線となる電源線Ｌｐとを一直線上に敷設することができ、見映えのよい施工が可能になる。
【００３５】
【発明の効果】
請求項１の発明の構成によれば、コンセント口用ブッシングに設けた塞ぎ片によってプラグとの間の防水性能を確保することができ、しかもコンセント口用ブッシングに設けた外鍔片を器体の内側面と中ボディとの間で挟持していることによりコンセント口用ブッシングと器体との間の防水性能も確保することができ、結果的にコンセント口回りの防水性能を確保することができる。加えて、取付脚の弾性を利用して引掛爪によって中ボディを器体に固定することができ、このときコンセント口用ブッシングが中ボディと器体との間に挟持されるから、コンセント用ブッシングと中ボディとの器体への取付作業が容易になる。
【００３７】
請求項２の発明の構成によれば、電源線が挿通される通線口回りの防水性能を確保することができる。
【００３８】
請求項３の発明の構成によれば、中ボディにおいてコンセント口用ブッシングの外鍔片の投影面内に張力除去片を設けているから、張力除去の機能を持たせながらも大型化を防止することができる。
【００３９】
請求項４の発明の構成によれば、充電部である端子および刃受ばねを器体の内側面から離間させているので、器体内に水が浸入したとしても充電部に水がかからず安全に使用することができる。
【００４０】
請求項５の発明の構成によれば、通線口から端子までの間でボディの開口に沿って電源線を配線することができ、電源線を開口に交差する方向に屈曲させる必要がないから電源線の端子への結線作業が容易である。
【００４１】
請求項６の発明の構成によれば、コンセント口および通線口の防水性能を弾性材料からなるコンセント口用ブッシングと通線口用ブッシングとによって確保しながらも、器体の他の部位には通常の合成樹脂成形品を用いることができるから、器体の全体を弾性部材を用いて成形する場合に比較すると成形性がよいという利点がある。
【００４２】
請求項７の発明の構成によれば、コンセント口と通線口とのどちらについても不使用であれば覆うことができ、不使用であるコンセント口あるいは通線口から水が浸入するのを防止することができ、防水性能を確保することができる。
【００４４】
請求項８の発明の構成によれば、コンセント口用防水カバーと通線口用防水カバーとを一括して成形することができ、結果的に製造が容易にるとともに部品点数の削減につながり、結果的にコストの低減につながる。しかも、コンセント口用防水カバーと通線口用防水カバーとが一体化されていることによって、小型の部材である通線口用防水カバーの紛失の可能性を低減することができる。さらに、連結紐が器体に対して着脱可能であるから、不要であれば器体から取り外すことによって、電源線に干渉するのを防止することができる。
【００４５】
請求項９の発明の構成によれば、コンセント口に接続されるプラグおよびプラグに接続された電源線に干渉しないように防水カバーの取付位置を選択することが可能になる。
【００４６】
請求項１０の発明の構成によれば、フック金具をカバー部材に着脱自在に取着していることによって、フック金具の紛失の可能性を低減することができる。
【図面の簡単な説明】
【図１】本発明の実施の形態を示す分解斜視図である。
【図２】同上の要部の分解斜視図である。
【図３】同上の縦断面図である。
【図４】同上の階段断面図である。
【図５】同上におけるカバーを外した状態の平面図である。
【図６】同上におけるカバーを外した状態の斜視図である。
【図７】同上におけるカバーを外した状態の縦断面図である。
【図８】同上の階段断面図である。
【図９】同上の使用例を示す斜視図である。
【図１０】同上の使用例を示す斜視図である。
【図１１】同上の外観正面図である。
【図１２】同上の外観側面図である。
【図１３】同上の外観下面図である。
【図１４】同上の要部斜視図である。
【図１５】同上の要部断面図である。
【図１６】従来例を示す分解斜視図である。
【図１７】他の従来例を示す斜視図である。
【図１８】同上に用いるコンセント口用防水カバーを示す斜視図である。
【符号の説明】
１０  ボディ
１７  コンセント口
１８  通線口
２０  カバー
２６  耳片
３０  中ボディ
３４ａ  張力除去片
３７  端子板
３８  刃受ばね
３９  端子ねじ
４１  組立ねじ
４２  防水パッキン
４３  コンセント口用ブッシング
４３ａ  筒部
４３ｂ  外鍔片
４３ｃ  塞ぎ片
４４  通線口用ブッシング
４４ｂ，４４ｃ  塞ぎ片
５２  位置決め片
５３  取付脚
５３ａ  引掛爪
６０  フック金具
６０ａ  鈎部
６０ｂ  ねじ部
７１  コンセント口用防水カバー
７１ｅ  フック保持台
７２  通線口用防水カバー
７３  連結紐
Ｌｐ  電源線
【図１】
0004092926.tif 000002
【図２】
0004092926.tif 000003
【図３】
0004092926.tif 000004
【図４】
0004092926.tif 000005
【図５】
0004092926.tif 000006
【図６】
0004092926.tif 000007
【図７】
0004092926.tif 000008
【図８】
0004092926.tif 000009
【図９】
0004092926.tif 000010
【図１０】
0004092926.tif 000011
【図１１】
0004092926.tif 000012
【図１２】
0004092926.tif 000013
【図１３】
0004092926.tif 000014
【図１４】
0004092926.tif 000015
【図１５】
0004092926.tif 000016
【図１６】
0004092926.tif 000017
【図１７】
0004092926.tif 000018
【図１８】
0004092926.tif 000019